(57)【特許請求の範囲】
【請求項１】
正常時は一側面を開放させた四角枠状のトリップベースに前後摺動自在に保持したトリップアームに漏電表示装置の係合腕部を係合して押しばねに抗して表示待機位置に保持した漏電表示装置であり、かつ、該漏電表示装置はトリップ時には前記トリップアームへの前記係合腕部の係合を解かれ前記押しばねに付勢されて上部に突出してトリップ状態を表示する漏電表示装置であって、該漏電表示装置は前記トリップベースの開放させた側となる前枠部の一側面側から他側面側に向け該前枠部の上下に連通させて設けた縦溝に組込んで、また、前記トリップベースの一側面から設けたボビン組込凹部にボビンを組み込んで、該ボビンの端部に設けた突起片を前記前枠部の一側面側に形成した該縦溝の開口に臨ませて前記漏電表示装置を前記縦溝に保持したことを特徴とする漏電遮断器の漏電表示装置。
【発明の詳細な説明】
【技術分野】
【０００１】
本発明は、漏電遮断器が漏電によりトリップした場合にそのトリップ状態を表示するための漏電遮断器の漏電表示装置に関するものである。
【背景技術】
【０００２】
漏電遮断器の漏電表示装置としては種々のものが知れているが、漏電遮断器の組付けが容易で作動も正確なことから、ボビンやトリップアームを組付けたトリップベースに漏電表示装置を組込んだものが多く使用されている。（例えば、特許文献１、参照）
【０００３】
ところが、前記の特許文献１に記載の漏電表示装置は、トリップベースへの漏電表示装置の組み込みがボビンとは別に行われるためそれぞれ別の部材でトリップベースに固定する必要があり作業が厄介であるという問題がある。
【０００４】
【特許文献１】特開平７−１６１２８０号公報
【発明の開示】
【発明が解決しようとする課題】
【０００５】
本発明は前記のような問題点を解決して、トリップベースへの組み込みが容易であり、さらに、トリップアームの動きを阻害することなく組込むことができる漏電遮断器の漏電表示装置を目的として完成されたものである。
【課題を解決するための手段】
【０００６】
本発明の漏電遮断器の漏電表示装置は、一側面を開放させた四角枠状のトリップベースに前後摺動自在に保持したトリップアームに漏電表示装置の係合腕部を係合して押しばねに抗して表示待機位置に保持した漏電表示装置であり、かつ、該漏電表示装置はトリップ時には前記トリップアームへの前記係合腕部の係合を解かれ前記押しばねに付勢されて上部に突出してトリップ状態を表示する漏電表示装置であって、該漏電表示装置は前記トリップベースの開放させた側となる前枠部の一側面側から他側面側に向け該前枠部の上下に連通させて設けた縦溝に組込んで、また、前記トリップベースの一側面から設けたボビン組込凹部にボビンを組み込んで、該ボビンの端部に設けた突起片を前記前枠部の一側面側に形成した該縦溝の開口に臨ませて前記漏電表示装置を前記縦溝に保持したことを特徴とするものである。
【発明の効果】
【０００７】
前記のような本発明は、漏電表示装置を、トリップベースの前枠部の一側面側から他側面側に向け上下に連通させて設けた縦溝に組込んだうえ該縦溝の開口に前記トリップベースの一側面から設けたボビン組込凹部に組み込んだボビンの端部に設けた突起片を臨ませて保持したものであるから、組み込み作業が容易なものである。また、漏電表示装置の側面とトリップアームが接触しない構造であることからトリップアームの動きを阻害することがないので、トリップ動作が遅れるという虞もないものである。
【発明を実施するための最良の形態】
【０００８】
次に、本発明の好ましい実施の形態を図面に基づき説明する。
図１は本発明の漏電表示装置を使用した漏電遮断器をケースを略して示す斜視図である。この図１において、１は合成樹脂よりなる一側面を開放させた四角枠状のトリップベースであり、該トリップベース１の前枠部１１には一側面側から他側面側に向け上下に連通させた縦溝１２が設けてある。そして、該縦溝１２には漏電表示装置２が上下摺動自在に組込まれたうえ縦溝１２の開口をトリップベース１の開放させた一側面により形成したボビン組込凹部１４に組み込んだボビン３の端部に設けた突起片３１を臨ませて保持している。
【０００９】
また、トリップベース１の他側面にはトリップアーム４が前後方向に摺動自在に保持されている。このトリップアーム４は、その先端に折曲形成した二股状の前板部４１をトリップベース１の前枠部１１の前面に臨ませて前記ボビン３に取り付けたプランジャ３２の先端と係合しており、漏電が発生すると図示を略した零相変流器からの信号によりボビン３のコイルが励磁されてプランジャ３２がコイルにより引き寄せられ、これに伴ないトリップアーム４も後方に摺動して後端４２がトリガー５を押圧してメカ機構６をトリップさせるものである。
【００１０】
また、前記した漏電表示装置２は、図１、図２に示すように下端にメカ機構６のクロスバー６１に設けたリセット用の爪部６１ａと係合する鉤部２１ａ付きの脚部２１を下端に形成して中間に前記トリップアーム４の先端下面に係止する係合腕部２２と上端に表示ボタン２３を形成したうえ上部に設けた窓孔部２４に押しばね２４ａを周縁が窓孔部２４から露出させて取り付けたものである。
【００１１】
そして、該漏電表示装置２は前記押しばね２４ａの下端周縁を縦溝１２に設けた受段部１３に係止させて常時上方に付勢されており、オン、オフの正常時には図９（Ａ）、図１０（Ａ）に示すように前記トリップアーム４の先端下面に係合腕部２２が係合されて下方に押圧されて表示ボタン２３がケース８の上面から露出することなく表示待機位置に保持されて（図９（Ｃ）、図１０（Ｃ）参照）オン状態とオフの正常状態を表示するものである。
【００１２】
また、漏電が発生してプランジャ３２がボビン３のコイルに引き寄せられ、これに伴ない、トリップアーム４も後方に摺動して後端４２がトリガー５を押圧してトリップ動作を行えば、トリップアーム４の先端下面による漏電表示装置２の係合腕部２２に対する係止を解除することとなるので、漏電表示装置２は押しばね２４ａにより表示待機位置から上部に押し上げられられて漏電表示装置２の上端の表示ボタン２３がケース８の上面から露出して（図１１（Ｃ）参照）漏電によるトリップ状態を表示するものである。したがって、トリップが感電事故に繋がる漏電によるものであるか、電気の使い過ぎによる通常の過電流によるものであるかを判別して、例えば、漏電によるものである場合は電源を切り速やかに感電箇所の修理を行い、過電流による場合は電機機器の一部の使用を控える等の対応ができるものである。
【００１３】
前記のような漏電表示装置２をトリップベース１に組込むには、先ず図２に示すようにトリップベース１の前枠部１１の一側面側から他側面側に向け上下に連通させて設けた縦溝１２に、開口から漏電表示装置２を装入する。そうすると、該縦溝１２は上部を拡大溝部１２ａその下端に受段部１３を形成し、さらには、縦溝１２の前方の隔壁に一側面側から他側面側に設けて横向切欠１２ｃを設けたものとしたので、漏電表示装置２の上部に設けた窓孔部２４に周縁を露出させて取り付けた押しばね２４ａは拡大溝部１２ａに納まったうえ下端を受段部１３に支持されて、また、係合腕部２２は横向切欠１２ｃから露出されて漏電表示装置２がトリップベース１に図３に示すように簡単に組込まれることとなる。
【００１４】
次に、図４に示すように、プランジャ３２を外した状態のボビン３をトリップベース１の開放させた一側面により形成したボビン組込凹部１４に組み込む。そうすると、図５に示すようにボビン３の端部に設けた突起片３１が前記縦溝１２の開口に自動的に臨むこととなり、前記漏電表示装置２を縦溝１２の開口から抜け出ることなく組み込むことができるものである。
【００１５】
このようにトリップベース１に漏電表示装置２を組み込んだら、図６に示すように、ト
リップベース１の前枠部１１にはプランジャ３２が貫通するための貫通孔１１ａが設けられているので、プランジャ３２を用意する。そして、図７に示すように該プランジャ３２の先端にトリップアーム４の先端に折曲形成した二股状の前板部４１を係合させて、プランジャ３２を貫通孔１１ａから図示を略したコイル押しばねとともにボビン３にセットする。その後、トリップアーム４をトリップベース１の他側面に形成した摺動案内部１５に係合させて摺動自在に保持させる。
【００１６】
この場合に、前記コイル押しばねによるトリップアーム４の突出を規制するためトリップベース１の他側面にストッパ部材１６を突設して、トリップアーム４に設けたストッパ窓孔４３を摺動自在に嵌合させて、常時はトリップアーム４の先端下面である二股状の前板部４１の下端面を前記漏電表示装置２に係合腕部２２が係合させた状態とするとしている。
【００１７】
なお、トリップベース１に漏電テスト装置を組込んで図９、図１０、図１１に示すようにそのテストボタン９をケース８に設けた操作孔８ａを介して操作できるようにして、定期点検時にテストボタン９を押して擬似的に漏電を発生させてトリップ動作が正常に行えるかの動作確認を行うことができるものとしている。
【００１８】
前記したとおり本発明は、トリップベース１に漏電表示装置２がボビン３とトリップアーム４とともに容易に組み込むことができるものである。さらには、漏電表示装置２の側面とトリップアームが接触しない構造であることからトリップアームの動きを阻害することがないので、トリップ動作が遅れるという問題も起きないものである。
【図面の簡単な説明】
【００１９】
【図１】本発明の実施形態を示す斜視図。
【図２】トリップベースに漏電表示部材を組込む工程を示す斜視図。
【図３】トリップベースに漏電表示部材を組込んだ状態を示す斜視図。
【図４】トリップベースに漏電表示部材とボビンを組込む工程を示す斜視図。
【図５】トリップベースに漏電表示部材とボビンを組込んだ状態を示す斜視図。
【図６】トリップベースに組込んだボビンにプランジャをセットする状態を示す斜視図。
【図７】トリップベースにトリップアームを組込む工程を示す斜視図。
【図８】トリップベースにトリップアームを組込んだ状態を示す斜視図。
【図９】漏電遮断器のオン状態を示す概略図であり、（Ａ）は斜視図、（Ｂ）は他方向から見た斜視図、（Ｃ）は側面図。
【図１０】漏電遮断器のオフ状態を示す概略図であり、（Ａ）は斜視図、（Ｂ）は他方向から見た斜視図、（Ｃ）は側面図。
【図１１】漏電遮断器のトリップ状態を示す概略図であり、（Ａ）は斜視図、（Ｂ）は他方向から見た斜視図、（Ｃ）は側面図。
【符号の説明】
【００２０】
１  トリップベース
11  前枠部
12  縦溝
２  漏電表示装置
22  係合腕部
24a  押しばね
３  ボビン
31  突起片
４  トリップアーム
【図１】
0004789661.tif 000002
【図２】
0004789661.tif 000003
【図３】
0004789661.tif 000004
【図４】
0004789661.tif 000005
【図５】
0004789661.tif 000006
【図６】
0004789661.tif 000007
【図７】
0004789661.tif 000008
【図８】
0004789661.tif 000009
【図９】
0004789661.tif 000010
【図１０】
0004789661.tif 000011
【図１１】
0004789661.tif 000012